(57)【要約】      （修正有）【課題】音声認識結果における読み誤り率を削減する。【解決手段】読み精度改善システム４００は、音声認識結果の複数の候補語列を読み出し、候補語列の各々について読みを求める読み変換部４０２と、読みが同一である１以上の候補語列ごとに音声認識スコアの合計値を求めて読みスコアとする読みスコア算出部４０４と、各候補語列の対応する読みスコアと音声認識スコアに基づき、複数の候補語列の中から出力すべき候補を選択する出力語列選択部４０６を備える。【選択図】図４
2014232268.tif 000002
【特許請求の範囲】
【請求項１】
コンピュータの演算処理により、音声認識における読み精度を改善する方法であって、
（ａ）前記コンピュータが、音声認識結果の複数の候補語列を読み出すステップと、
（ｂ）前記コンピュータが、前記複数の候補語列の各々について読みを求めるステップと、
（ｃ）前記コンピュータが、読みが同一である１以上の前記候補語列ごとに音声認識スコアの合計値を求めて読みスコアとするステップと、
（ｄ）前記コンピュータが、各候補語列の対応する前記読みスコアと前記音声認識スコアに基づき、前記複数の候補語列の中から出力すべき候補を選択するステップと、
を含む読み精度改善方法。
【請求項２】
ステップ（ｄ）は、前記コンピュータが、前記各候補語列について、該候補語列の前記音声認識スコアと前記対応する読みスコアとを重みつきで足し合わせて新たなスコアを取得し、該新たなスコアが最大の候補語列を選択するステップを含む、請求項１に記載の読み精度改善方法。
【請求項３】
ステップ（ｄ）は、前記コンピュータが、最大の前記読みスコアをもつ１以上の前記候補語列の中から、最大の前記音声認識スコアをもつ前記候補語列を選択するステップを含む、請求項１に記載の読み精度改善方法。
【請求項４】
ステップ（ｃ）は、２以上の候補語列について一部分の読みの違いを許容して同一の読みとして前記読みスコアを算出するステップを含む、請求項１に記載の読み精度改善方法。  
【請求項５】
ステップ（ａ）における前記音声認識結果の複数の候補語列は、複数の音声認識システムからのN-bestリストを統合したものである、請求項１に記載の読み精度改善方法。
【請求項６】
ステップ（ｄ）は、前記コンピュータが、前記複数の候補語列の全てを出力すべき候補として選択し、各候補語列の前記音声認識スコアと対応する前記読みスコアに基づきリスコアリングするステップを含む、請求項１に記載の読み精度改善方法。
【請求項７】
請求項１乃至６のいずれか一項に記載の方法の各ステップを、前記コンピュータに実行させる読み精度改善プログラム。
【請求項８】
請求項１乃至６のいずれか一項に記載の方法の各ステップを実行するように適合された手段を備える読み精度改善システム。
【発明の詳細な説明】
【技術分野】
【０００１】
本発明は、音声認識の精度を改善するための技術に関し、より詳細には、音声認識結果における読み誤り率を削減するための技術に関する。
【背景技術】
【０００２】
音声認識の研究は長く、音響モデルと言語モデルを用いて音声認識を行う統計的方法が確立している（例えば、特許文献１〜７を参照）。音声認識は、入力音声の特徴量Ｘに対して事後確率Ｐ（Ｗ｜Ｘ）が最大となる単語列Ｗを見つける問題として定式化され、これは以下の式（１）に示すように変形される。
【数１】
2014232268.tif 000003
つまり、音声認識では、単語列Ｗが発声されたときの当該特徴量Ｘの出現確率ＰＡ（Ｘ｜Ｗ）と単語列Ｗ自身の出現確率ＰＬ（Ｗ）の積が最大（ａｒｇｍａｘ）となる単語列Ｗ’が認識結果として選択される。
【０００３】
ここで前者の確率ＰＡ（Ｘ｜Ｗ）を求めるために音響モデルが用いられ、その確率の高い単語が認識の候補として選択される。音響モデルによる認識は、認識対象の語彙とその発音を規定する辞書を照合しながら行われる。一方、後者の確率ＰＬ（Ｗ）を近似するためによく用いられるものが言語モデルであり、具体的にはＮ−ｇｒａｍモデルである。これはＮ個の連続した単語組の出現確率から文全体、すなわち単語列Ｗの出現確率を近似する方法である。
【０００４】
昨今、上記辞書と言語モデルの学習に、ウェブ上のテキストが用いられ利用されるようになった。そこには同じ読みで異なる表記を持つ単語（以降、「同音異表記語」という）が無数に含まれる。通常の音声認識システムの言語モデルでは言語的確率は表記に対して割り当てられている。そのため、意味的に等しい１単語に対して複数の表記が存在した場合、その単語の言語的確率が複数の表記に分割されてモデル化されることになる。上述したように、通常の音声認識では、音響的確率と言語的確率の積が最大となる表記の列を出力する。しかし、同音異表記語では、言語的確率が複数の表記に分割されているために、個々の表記の言語的確率が低くなっており、上述の確率積の最大化によって選択される認識結果が、読みの正しい単語を選択できないことがある。
【０００５】
単語を認識単位とせずに音素を認識単位として音声認識を行う音素コーディングを行えば、読みを重視した認識結果が得られる。しかし音素コーディングでは言語モデルが貧弱になるための認識精度が一般に低いという問題がある。
【先行技術文献】
【特許文献】
【０００６】
【特許文献１】特開２００１−２５５８８９号公報
【特許文献２】特開２００２−２２１９８９号公報
【特許文献３】特開平１０−１９８３９２号公報
【特許文献４】特開平１０−９７２７２号公報
【特許文献５】特開２００６−３３７６６７号公報
【特許文献６】特開２００４−２１２０７号公報
【特許文献７】特開平８−３１４４９６号公報
【発明の概要】
【発明が解決しようとする課題】
【０００７】
本発明は、上記従来技術における問題点に鑑みてなされたものであり、音声認識における読み精度を改善し、音声認識結果における読み誤り率を削減することのできる読み精度改善方法、読み精度改善システム、及び読み精度改善プログラムを提供することを目的とする。
【課題を解決するための手段】
【０００８】
本願発明は、上記従来技術の課題を解決するために以下の特徴を有する音声認識における読み精度改善方法を提供する。本願発明の読み精度改善方法は、（ａ）前記コンピュータが、音声認識結果の複数の候補語列を読み出すステップと、（ｂ）前記コンピュータが、前記複数の候補語列の各々について読みを求めるステップと、（ｃ）前記コンピュータが、読みが同一である１以上の前記候補語列ごとに音声認識スコアの合計値を求めて読みスコアとするステップと、（ｄ）前記コンピュータが、各候補語列の対応する前記読みスコアと前記音声認識スコアに基づき、前記複数の候補語列の中から出力すべき候補を選択するステップとを含む。
【０００９】
好ましくは、ステップ（ｄ）は、前記コンピュータが、前記各候補語列について、該候補語列の前記音声認識スコアと前記対応する読みスコアとを重みつきで足し合わせて新たなスコアを取得し、該新たなスコアが最大の候補語列を選択するステップを含む。
【００１０】
上記構成に代えて、ステップ（ｄ）は、前記コンピュータが、最大の前記読みスコアをもつ１以上の前記候補語列の中から、最大の前記音声認識スコアをもつ前記候補語列を選択するステップを含んでもよい。
【００１１】
ステップ（ｃ）は、２以上の候補語列について一部分の読みの違いを許容して同一の読みとして前記読みスコアを算出するステップを含んでもよい。
【００１２】
また好ましくはステップ（ａ）における前記音声認識結果の複数の候補語列は、複数の音声認識システムからのN-bestリストを統合したものである。
【００１３】
また好ましくは、ステップ（ｄ）は、前記コンピュータが、前記複数の候補語列の全てを出力すべき候補として選択し、各候補語列の対応する前記読みスコアと前記音声認識スコアとに基づきリスコアリングするステップを含む。
【００１４】
以上、音声認識における読み精度改善方法として本発明を説明した。しかし本発明は、そのような読み精度改善方法の各ステップをコンピュータに実行させる読み精度改善プログラム、及び該読み精度改善プログラムをコンピュータにインストールして実現される読み精度改善システムとして把握することもできる。
【発明の効果】
【００１５】
本願発明によれば、音声認識結果が読みに変換され、読みを共有する音声認識結果の確率を合計することで読みの確率が求められ、出力語列の選択に利用される。結果、言語モデル及びその学習に用いられたコーパスの表記の揺れを吸収することができ、読みの正しい音声認識結果を出力しやすくなる。また、最初から音素デコーディングを行うのと異なり、単語単位の言語モデルによってコンテキストを利用した音声認識が可能であるため、高い認識精度が得られる。更に、同様のコンテキストに現れる同音異表記語の確率のみを加算するため、読みが同じでも使用コンテキストが異なる同音異字語の確率が加算されてしまうことがない。本発明のその他の効果については、各実施の形態の記載から理解される。
【図面の簡単な説明】
【００１６】
【図１】本願発明の実施形態による読み精度改善システム４００を実現するのに好適なコンピュータ１００のハードウェア構成の一例を示す。
【図２】従来の標準的な音声認識システム２００の機能ブロックの一例を示す。
【図３】同音異表記語が出力候補に現れる、ある発声の認識結果を示す。
【図４】本発明の実施形態による読み精度改善システム４００の機能ブロック図である。
【図５】図３に示す認識結果に対して算出された読みスコアと混合スコアを示す。
【図６】本発明の実施形態による読み精度改善処理の流れの一例を示すフローチャートある。
【発明を実施するための形態】
【００１７】
以下、本願発明を実施するための形態を図面に基づいて詳細に説明するが、以下の実施形態は特許請求の範囲にかかる発明を限定するものではなく、また実施形態の中で説明されている特徴の組み合わせの全てが発明の解決手段に必須であるとは限らない。なお、実施の形態の説明の全体を通じて同じ要素には同じ番号を付している。
【００１８】
図１は、本発明を実施するためのコンピュータ１００の例示的なハードウェア構成を示す。図１においてマイク１０５付近で発生した音は、マイク１０５によってアナログ信号としてＡ／Ｄ変換器１１０に入力され、そこでＣＰＵ１２５が処理可能なデジタル信号に変換される。
【００１９】
外部記憶装置１１５やＲＯＭ１２０は、オペレーティング・システムと協働してＣＰＵ１２５に命令を与え、本発明を実施するための読み精度改善プログラム・モジュールを含む複数のコンピュータ・プログラムのコードや各種データを記録することができる。そして外部記憶装置１１５やＲＯＭ１２０に格納された複数のコンピュータ・プログラムは各々ＲＡＭ１３０にロードされることによってＣＰＵ１２５により実行される。なお、外部記憶装置１１５は、ＳＣＳＩコントローラなどのコントローラ（図示しない）を経由してバス１４５へ接続されている。コンピュータ・プログラムは圧縮し、また複数に分割して複数の媒体に記録することもできる。
【００２０】
コンピュータ１００はまた、視覚データをユーザに提示するための表示装置１３５を含む。表示装置１３５は、グラフィックスコントローラ（図示しない）を経由してバス１４５へ接続されている。コンピュータ１００は、通信インタフェース１４０を介してネットワークに接続し、他のコンピュータ等と通信を行うことが可能である。
【００２１】
上記説明した構成要素は例示であり、そのすべての構成要素が本発明の必須構成要素となるわけではない。同様に本発明を実施するためのコンピュータ１００は、キーボードやマウスのような入力デバイス、スピーカー等の他の構成要素を含むことも可能であることは言うまでもない。
【００２２】
以上の説明により、コンピュータ１００は、通常のパーソナルコンピュータ、ワークステーション、メインフレームなどの情報処理装置、又は、これらの組み合わせによって実現されることが容易に理解されるであろう。
【００２３】
図２は、従来の音声認識システム２００の構成の一例を示す。Ａ／Ｄ変換器１１０によってデジタル信号に変換された音声データは特徴量抽出部２０２に入力される。特徴抽出部２０２は、Ａ／Ｄ変換器１１０からの音声データについて、適当なフレームごとに、フーリエ変換やフィルタリング等の音響処理を施し、これにより、例えば、メル周波数ケプストラム係数(Mel Frequency Cepstrum Coefficient: MFCC)等の特徴量Ｘを抽出し、探索部２１０に出力する。なお、特徴抽出部２０２では、その他、例えば、スペクトルや、線形予測係数、ケプストラム係数、線スペクトル対等の特徴量Ｘを抽出することが可能である。
【００２４】
探索部２１０は、特徴抽出部２０２からの特徴量Ｘを用いて、音響モデルデータベース２０４、辞書データベース２０６、および言語モデルデータベース２０８を必要に応じて参照しながら、入力音声を、例えば、連続分布隠れマルコフモデル(Hidden Markov Model:  HMM)法等に基づいて音声認識する。
【００２５】
ここで、音響モデルデータベース２０４は、音響的特徴の時系列を、統計的にモデル化した音響モデルを記憶する。例えば、このモデル化にはHMMが用いられる。
【００２６】
辞書データベース２０６は、音声認識対象とする各単語について、その発音に関する情報（音韻情報）が記述された単語辞書を記憶する。日本語の辞書を例に挙げると、辞書内の語は、仮名漢字まじりの表記と音素列が対になったもの（例えば、京都／ky,o,u,t,o）である。あるいは辞書内の語は、仮名漢字まじりの表記に音素列と仮名列（読み）がついたもの（例えば、京都／ky,o,u,t,o／キョウト）であってもよい。従って、後述する探索部２１０は、表記と音素列の組みを探索対象とするのであって、単語の読みを先に決めてから、それを単語表記に変換するのではないことに留意されたい。
【００２７】
言語モデルデータベース２０８は、単語の連鎖に関する制約や尤度を規定する言語モデルを記憶する。一例として、言語モデルは文法規則あるいはＮ−ｇｒａｍモデルなどに基づいて構成されてよい。
【００２８】
探索部２１０は、上記モデルを統合して、特徴抽出部２０２が出力する時系列の特徴量Ｘが観測される尤度が最も高い単語列仮説を探索する。より具体的には、探索部２１０は、音響モデルによって与えられる音響的確率と言語モデルによって与えられる言語的確率とを総合評価して得られる最終的なスコア（以下、「音声認識スコア」という）に基づいて最終的に出力すべき単語列Ｗを決定する。なお、後述する本願発明の実施例では、探索部２１０は、音声認識スコアの上位Ｎ個の単語列ＷのリストをＮ−ｂｅｓｔリストＬとして出力するものとする。
【００２９】
実用的な音声認識システムでは、上述した辞書と言語モデルにおいて大語彙を扱う必要がある。辞書と言語モデルを学習するためにウェブ上のテキストを利用するとこれらには同音異表記語が無数に含まれる。日本語を例に挙げると、読みが同一の語について、ひらがな／カタカナ表記、漢字表記、アルファベット表記など、複数の表記が存在し得る。別の例としては、人名が挙げられる。更に、単語区切りが異なる語も多数含まれる。（例（表記／読み）：京都府/キョウトフ、京都/キョウト、府/フ）。日本語以外の言語であっても、例えば韓国語の場合には、同一の単語について漢字表記とハングル表記とが可能であるため、同音異表記語が存在する。更に、それ以外の言語であっても外来語、数値表現、大文字・小文字表記については同じ読みをもつ複数表記が存在しえる。（外来語の例（表記）：IBM、アイビーエム）。（数値表現の例（表記）：13、thirteen）。（大文字・小文字表記の例（表記）：STOP、Stop、stop）。
【００３０】
通常、言語モデルでは言語的確率は表記に対して割り当てられているため、意味的に等しい１単語に対して複数の表記が存在した場合、その単語の言語的確率が複数の表記に分割されてモデル化される。上述したように通常の音声認識システム２００では、音響的確率と言語的確率とを総合評価して得られる音声認識スコアに基づいて最終的に出力すべき単語列が決定される。しかし、同音異表記語では、言語的確率が複数の表記に分割され、個々の表記の言語的確率が低くなっているため、従来の音声認識スコアに基づく方法では、読みの正しい単語を選択できない。これを図３に示す例に基づいて説明する。
【００３１】
辞書データベース２０６に格納される辞書には、次のような同音異表記語が存在するものとする。
・雛／ヒナ、ひな／ヒナ、ヒナ／ヒナ(但し、表記／読みである)
このときある発声（但し、読み：「オヒナサマ」）の認識結果として、図３に示すように「お雛様」、「おひな様」、「おひなさま」の３つの同音異表記語が出力候補に現れたとする。
【００３２】
探索部２１０による音響的確率と言語的確率とに基づく総合評価方法が、上記式（１）によって示されるように音響的確率ＰＡと言語的確率ＰＬの積として求められる同時確率ＰＴ最大であるとすると、探索部２１０は同時確率ＰＴ＝１０．５１１＊１０−８である「お嬢様」を出力する。真の読み「オヒナサマ」を有する語列が選択されなかったのは、「オヒナサマ」という読みに対し複数の表記が存在するために、１表記当りの言語的確率ＰＬが低かったからである。
【００３３】
音声認識システム２００のユーザは、「オヒナサマ」と発声する際、認識結果として「お雛様」を得ることを期待していたかもしれない。もし「おひなさま」や「おひな様」が出力されても、そのまま許容できるユーザも中にはいるだろう。しかし「お嬢様」が出力されてしまうと認識結果の手修正が必要となる。音声認識システム２００は、読みを重視して「オヒナサマ」のうちのどれかを出力すべきである。
【００３４】
なお、辞書への語彙の追加は半自動的に行わざるを得ないため、同音異表記語を人手で管理することはできない。同音異表記語を意味ごとに自動的に分類することも不可能である。ウェブテキストを中心的に学習に用いる以前は、コーパスも辞書も品質を人手で管理しており、同音異表記語はあらかじめ人手で特定し、ルールで統一したコーパスと辞書が用いられていた。そのため従来はこのような問題は生じていなかった。
【００３５】
本願発明は上記問題に対応するため、新たに読みスコアというものを導入する。読みスコアは、音声認識結果を読みに変換し、読みを共有する音声認識結果の確率を合計することで算出し、これを出力語列の選択に利用する。なお、日本語の場合は、音素列又は仮名列のいずれかを「読み」として扱うことができる。また、韓国語の場合は、音素列又はハングル文字を「読み」として扱うことができる。その他の言語については、音素列を「読み」として扱うことができる。このように、本願発明は、任意の言語に適用可能であることに留意されたい。以下、図４を参照して本発明の実施形態による読み精度改善システム４００を説明する。
【００３６】
図４は、本発明の実施形態による読み精度改善システム４００の機能ブロック図である。読み精度改善システム４００は、読み変換部４０２と、読みスコア算出部４０４と、出力語列選択部４０６とを含む。
【００３７】
読み変換部４０２は、音声認識システム２００から音声認識結果としてＮ−ｂｅｓｔリストＬを受け取り、リストされた各候補語列Ｗについてその読みを求める。どのような音声認識システム２００であっても、またどのような言語であっても、上述したように、辞書データベース２０６に記憶される単語辞書は、各単語を単語表記とその音素列の対として登録している。従って音素列を読みとして扱う場合は、読み変換部４０２は、単語辞書から、音声認識結果の単語表記をキーとして読みを求めることができる。また、言語を日本語に限定すれば、音素列の代わりに仮名列を読みとして扱うこともできる。この場合、音素列とカタカナ（或いはひらがな）は１対１に対応するため、読み変換部４０２は、テーブルを使って音素列からカタカナへの変換を行うことができる。又は、上述したように、単語辞書が各単語を単語表記とその音素列と仮名列（読み）の組として登録する場合は、音素列を読みとして扱う場合と同様に、読み変換部４０２は、単語辞書から、音声認識結果の単語表記をキーとして読みを求めることができる。なお、予めＮ−ｂｅｓｔリストＬに、各候補語列Ｗをその読みと音声認識スコアとともにリストしておいてもよく、この場合、読み変換部４０２はＮ−ｂｅｓｔリストＬから各候補語列Ｗの読みを抽出できる。なお、本実施例では、音声認識スコアは、音響的確率ＰＡと言語的確率ＰＬの積として求められる同時確率ＰＴ（Ｗ、Ｘ）により求められるものとする。
【００３８】
読みスコア算出部４０４は、読み変換部４０２から各候補語列Ｗの読み情報と音声認識スコア情報とを受け取り、同一の読みＹをもつ１以上の候補語列Ｗごとにそれら候補語列Ｗの音声認識スコアＰＴ（Ｗ、Ｘ）の合計値ＰＹ（Ｙ、Ｘ）を求めて、これを同一の読みをもつ１以上の候補語列Ｗの読みスコアとする。読みスコアＰＹ（Ｙ、Ｘ）を式で表すと以下のようになる。
【数２】
2014232268.tif 000004
【００３９】
読みスコア算出部４０４は、上記読みスコアＰＹ（Ｙ、Ｘ）の算出方法に代えて、２以上の候補語列について一部分の読みの違いを許容して同一の読みとして式２により読みスコアＰＹ（Ｙ、Ｘ）を算出してもよい。この場合、同一として扱う読みの列の変換テーブルを予め用意しておく。そして読みスコア算出部４０４は、Ｎ−ｂｅｓｔリストＬにリストされた各読み列の一部がこの変換テーブルのエントリに一致するか否かを判定し、一致した場合に、その読み列の一部を変換テーブルに従って変換し、変換後の読み列についても、同一の読み列がＮ−ｂｅｓｔリストＬに存在するかを確認する。
【００４０】
同一視する読み列の具体例（表記／読み）を以下に記載する。
・京都／キョウト、京都／キョート
・いう／イウ、言う／ユウ
なお、表記「京都」の例は、単語辞書には、「京都」という１表記に対して２つのエントリが存在し、一方には読み「キョウト」と音素列「ky,o,u,t,o」が、他方には読み「キョート」と音素列「ky,o,o:,t,o」が付けられている場合の例である。
【００４１】
出力語列選択部４０６は、読みスコア算出部４０４から各候補語列Ｗの読みスコア情報と音声認識スコア情報とを受け取り、音声認識スコアＰＴ（Ｗ、Ｘ）と読みスコアＰＹ（Ｙｏｍｉ（Ｗ）、Ｘ）に基づき、複数の候補語列Ｗの中から最終的に出力すべき候補を選択する。以下では２つの選択方法について説明する。
【００４２】
第１の選択方法として、出力語列選択部４０６は、各候補語列Ｗについて、該候補語列Ｗの音声認識スコアＰＴ（Ｗ、Ｘ）と対応する読みスコアＰＹ（Ｙｏｍｉ（Ｗ）、Ｘ）とを重みαつきで足し合わせて新たなスコア（以下、混合スコアという）ＰＭ（Ｗ、Ｘ）を取得し、混合スコアＰＭ（Ｗ、Ｘ）が最大の候補語列Ｗを選択してよい。混合スコアＰＭ（Ｗ、Ｘ）を式で表すと以下のようになる。
【数３】
2014232268.tif 000005
上式において重みαは、実験により予め最適な値を求めておくのが好ましい。
【００４３】
ここで図５を参照して、混合スコアＰＭ（Ｗ、Ｘ）の計算方法を具体的に説明する。なお、図５の計算結果は、図３に示す音声認識結果を入力とし、また、重みαとして値０．５を利用して得られたものである。候補語列「お雛様」、「おひな様」、「おひなさま」は、同一の読み「オヒナサマ」を有するので、３つの候補語列の音声認識スコアＰＴを足し合わせて、読みスコアＰＹ＝２０．１９５＊１０−８を得る。一方、候補語列「お嬢様」は、読み「オジョウサマ」を有する候補語列が他に存在しないので、その音声認識スコアＰＴの値１０．５１１＊１０−８がそのまま読みスコアＰＹとなる。
【００４４】
そして上記式（３）より、それぞれの候補語列について混合スコアＰＭが算出される。例えば、候補語列「お雛様」は、音声認識スコアＰＴ＝６．０３＊１０−８（図３の表を参照）と、読みスコアＰＹ＝２０．１９５＊１０−８を有するので、それぞれのスコアを値０．５で重み付けして足し合わせることにより、混合スコアＰＭ＝１３．１１６＊１０−８を得る。他の候補語列についても同様に混合スコアＰＭが求められる。結果、本実施例では、混合スコアＰＭが最大である候補語列「おひなさま」が出力される。
【００４５】
これに代えて出力語列選択部４０６は、第２の選択方法として、最大の読みスコアＰＹ（Ｙｏｍｉ（Ｗ）、Ｘ）をもつ１以上の候補語列Ｗの中から、最大の音声認識スコアＰＴ（Ｗ、Ｘ）をもつ候補語列Ｗを選択してもよい。再び図５を参照して該方法による選択方法を具体的に説明する。すると、読みスコアは「オジョウサマ」よりも「オヒナサマ」の読みの方が大きいので、読み「オヒナサマ」を有する候補語列の中から最大の音声認識スコアＰＴをもつ候補語列を選択する。すると、図３に示すように、「おひなさま」の音声認識スコアＰＴが最も高いので、結果、本実施例においても候補語列「おひなさま」が選択され出力される。
【００４６】
なお、上述した例では、第１の選択方法と第２の選択方法は同一の結果を示したが、常に同一の結果になるとは限らない。音声認識の対象がより短い文の場合、読み誤り率に関しては、第１の選択方法よりも第２の選択方法の方が、また文字誤り率に関しては第２の選択方法よりも第１の選択方法が優れていることが実験により確認された。
【００４７】
次に図６を参照して、本発明の実施形態による読み精度改善処理の流れを説明する。処理はステップ６００で開始し、読み変換部４０２は、音声認識結果のＮ−ｂｅｓｔリストＬを読み出す。続いて読み変換部４０２は、Ｎ−ｂｅｓｔリストＬにリストされる各候補語列についてその読みを求める（ステップ６０２）。
【００４８】
続いて読みスコア算出部４０４は、読み変換部４０２から各候補語列の読み情報を受け取り、上記式（２）に基づいて同一の読みを有する１以上の候補語列ごとに読みスコアを算出する（ステップ６０４）。続いて、候補語列選択部４０６は、読みスコア算出部４０４から各候補語列の読みスコアを受け取り、音声認識スコアと読みスコアに基づいて、Ｎ−ｂｅｓｔリストＬにリストされた候補語列から最終的に出力すべき候補語列を選択する（ステップ６０６）。出力すべき候補語列の選択は上述した第１の選択方法や第２の選択方法を利用してよい。そして処理は終了する。
【００４９】
以上、実施形態を用いて本発明の説明をしたが、本発明の技術範囲は上記実施形態に記載の範囲には限定されない。上記の実施形態に、種々の変更又は改良を加えることが可能であることが当業者に明らかである。例えば、読み精度改善システム４００の読み変換部４０２に入力される音声認識結果は、１の音声認識システム２００により出力されるN-bestリストだけでなく、複数の音声認識システム２００からのN-bestリストを統合したものであってもよい。また、読み精度改善システム４００の出力語列選択部４０６は、音声認識スコアと読みスコアに基づいて出力すべき１の候補語列を選択するのでなく、N-bestリストの複数の候補語列の全てを出力すべき候補として選択し、各候補語列を音声認識スコアと読みスコアに基づきリスコアリングしてもよい。従って、そのような変更又は改良を加えた形態も当然に本発明の技術的範囲に含まれる。
【００５０】
また、本発明は、音響モデルの学習用データを作成する際に有用である。音声認識の音響モデルの学習に用いる音声コーパスには音声とともに書き起こし（テキスト）が必要である。書き起こしを人手で準備するとコストがかかる。そのため、音声を自動的に音声認識することによって学習コーパスを作成し、音響モデルの学習に用いることがあるが、この場合、音声認識結果の読みの精度が高いことが求められる。本発明を音声認識結果に対して適用すれば、読みの精度の高い音声認識結果が得られる。
【００５１】
なお、特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り任意の順序で実現しうることに留意すべきである。また、前の処理の出力を後の処理で用いる場合でも、前の処理と後の処理の間に他の処理が入ることは可能である場合があること、又は間に他の処理が入るように記載されていても前の処理を後の処理の直前に行うよう変更することも可能である場合があることも留意されたい。特許請求の範囲、明細書、及び図面中の動作フローに関して、便宜上「まず、」、「次に、」、「続いて、」等を用いて説明したとしても、この順で実施することが必須であることを必ずしも意味するとは限らない。
【図１】
2014232268.tif 000006
【図２】
2014232268.tif 000007
【図３】
2014232268.tif 000008
【図４】
2014232268.tif 000009
【図５】
2014232268.tif 000010
【図６】
2014232268.tif 000011